(57)【要約】【課題】  フォルダ構造を意識する必要も無く、ファイル操作を行った際に不要な空フォルダを残すこと無く容易にフォルダの管理を行うことができ、無駄な容量を浪費する。【解決手段】  ＤＳＣ２のＣＰＵ２１は、ユーザがフォルダ／ファイル構成を意識していない状態でファイルの削除を行っても、ファイル管理部２５のフォルダが空になったか否かを検出して、空になった場合に自動的にファイル管理部２５よりフォルダを削除することで、不要な空フォルダがファイル管理部２５に残らず、フォルダの管理が容易になり、容量の無駄な浪費を抑えることを可能とする。【選択図】図３
2005202703.tif 000002
【特許請求の範囲】
【請求項１】
マニュアル操作によりフォルダ内またはフォルダ間のファイルの移動又はファイルの削除を行うファイル管理装置において、
前記ファイルの移動又は前記ファイルの削除を行うファイル制御手段と、
前記フォルダ内のファイル有無を確認するフォルダ確認手段と、
前記フォルダ確認手段により前記フォルダが空になったことを検出した場合は、空になった前記フォルダを削除するフォルダ削除手段と
を備えたことを特徴とするファイル管理装置。
【請求項２】
前記フォルダ削除手段は、前記フォルダが空になってから所定時間経過したら、空の前記フォルダを削除する
ことを特徴とするた請求項１に記載のファイル管理装置。
【請求項３】
前記フォルダ削除手段は、前記マニュアル操作における操作状態の変化を検出したら空のフォルダを削除する
ことを特徴とする請求項１に記載のファイル管理装置。
【請求項４】
前記フォルダ削除手段は、前記フォルダに所定のファイルのみが残っている場合はフォルダが空になったと認識してフォルダの削除を行う
ことを特徴とする請求項１、２または３のいずれか１つに記載のファイル管理装置。
【請求項５】
外部制御装置の指示に従いファイルの移動またはファイルの削除を行うファイル管理装置において、
フォルダ内のファイルの有無を確認するフォルダ確認手段を有し、
前記フォルダ確認手段によりフォルダが空になったことを検出した場合は、空になったフォルダを削除し、
前記外部制御装置との接続が切断されたことを検出したときに空になったフォルダを削除する
ことを特徴とするファイル管理装置。
【請求項６】
画像データファイル又はテキトデータファイルを記録手段に記録し管理を行うファイル管理装置において
マニュアル操作によって、前記記録手段の中に前記画像データファイル又は前記テキストデータファイルを記録するためのフォルダを作成するためのフォルダ作成手段と、
入力された前記画像データファイル又は前記テキストデータファイルを前記記録媒体内の所定の前記フォルダに記録するためのデータ記録手段と、
前記マニュアル操作に応じて所定の前記フォルダ内の所定の前記画像データファイル又は前記テキストデータファイルを削除するかまたは他のフォルダに移動するためのファイル管理手段と、
前記ファイル管理手段により所定の前記フォルダ内の所定の前記画像データファイル又は前記テキストデータファイルを削除した時に、前記フォルダ内のファイルの有無を確認するフォルダ確認手段と、
前記フォルダ確認手段により前記フォルダ内にファイルが無くなった場合には、前記フォルダを選択的に削除するするフォルダ削除手段と
を有することを特徴とするファイル管理装置。
【請求項７】
前記マニュアル操作により選択された所定の前記フォルダに対して、前記フォルダ確認手段又はフォルダ削除手段の動作を禁止するための禁止手段を有する
ことを特徴とする請求項６に記載のファイル管理装置。
【発明の詳細な説明】
【技術分野】
【０００１】
本発明は、フォルダ内またはフォルダ間のファイルの移動又はファイルの削除を行うファイル管理装置に関する。
【背景技術】
【０００２】
Windows（登録商標）/Mac0S（登録商標）等の従来のオペレーティングシステムでは、階層型のフォルダ構造をユーザーがおっていき、ファイルを選択してコピーや移動、削除を行うようになっている。
【０００３】
また、Windows XP（登録商標）やMac0S X（登録商標）が標準でサポートしているＩ／Ｆ方式にＰＴＰがあり、通常ＤＳＣ（デジタルスキャンカメラ）からＰＣ（パーソナルコンピュータ）に画像を取り込むのに使用されている。この方式では、ユーザにＤＳＣのフォルダ構造を意識させないようにＤＳＣの画像だけを表示して画像を選択することで、ＰＣへのコピーや移動、又はＤＳＣからの削除を行うになっている。このとき、移動や削除を行うとフォルダが空になる場合があるが、その場合でも空フォルダがＤＳＣに残る。
【０００４】
一方、従来のＤＳＣでは、ユーザにフォルダ構造を意識させないように画像だけを表示し、画像を選択することで削除を行うになっている。
【発明の開示】
【発明が解決しようとする課題】
【０００５】
しかしながら、前記Windows（登録商標）/Mac0S（登録商標）等の従来のオペレーティングシステムにおいては、ユーザが空になったフォルダを削除しないと、不要な空フォルダが残り、フォルダの管理が面倒になり、無駄な容量を浪費するといった問題がある。
【０００６】
また、前記Windows XP（登録商標）やMac0S X（登録商標）が標準でサポートしているＰＴＰや従来のＤＳＣにおいては、ユーザにはフォルダが見えないので、空になったフォルダを削除できず、やはり、不要な空フォルダが残り、フォルダの管理が面倒になり、無駄な容量を浪費するといった問題がある。
【０００７】
本発明は、上記事情に鑑みてなされたものであり、フォルダ構造を意識する必要も無く、ファイル操作を行った際に不要な空フォルダを残すこと無く容易にフォルダの管理を行うことができ、無駄な容量を浪費することを防止することのできるファイル管理装置を提供することを目的としている。
【課題を解決するための手段】
【０００８】
本発明のファイル管理装置は、マニュアル操作によりフォルダ内またはフォルダ間のファイルの移動又はファイルの削除を行うファイル管理装置において、前記ファイルの移動又は前記ファイルの削除を行うファイル制御手段と、前記フォルダ内のファイル有無を確認するフォルダ確認手段と、前記フォルダ確認手段により前記フォルダが空になったことを検出した場合は、空になった前記フォルダを削除するフォルダ削除手段とを備えて構成される。
【発明の効果】
【０００９】
本発明によれば、フォルダ構造を意識する必要も無く、ファイル操作を行った際に不要な空フォルダを残すこと無く容易にフォルダの管理を行うことができ、無駄な容量を浪費することを防止することができるという効果がある。
【発明を実施するための最良の形態】
【００１０】
以下、図面を参照しながら本発明の実施例について述べる。
【実施例１】
【００１１】
図１ないし図６は本発明の実施例１に係わり、図１はファイル管理システムの構成を示す構成図、図２は図１のＤＳＣの背面構成を示す外観図、図３は図１のＤＳＣ及びストレージ装置の構成を示すブロック図、図４は図２のＤＳＣの背面構成を示す構成図、図５は図３のＤＳＣの画像記憶部のフォルダ／ファイル構成を示す図、図６は図３のＤＳＣのＣＰＵの処理の流れを示すフローチャートである。
【００１２】
図１に示すように、本実施例のファイル管理システムは、（ストレージ側の）ストレージ装置１と（ホスト側の）デジタルスチルカメラ（以下、ＤＳＣ）２とが接続されて構成され、図２に示すように、ＤＳＣ２の背面には、被写体を撮影した画像を表示したり各種設定画面を表示する液晶表示部４と、被写体像を確認するファインダ５と、ＤＳＣ２の電源オン状態を示すパワーＬＥＤ６と、液晶表示部４に表示される各種設定画面上での操作データを入力する選択／決定ボタン９等とが設けられ、ＤＳＣ２の上部には、画像の撮像を指示するシャッタ１０と、ＤＳＣ２における撮影モード及び操作モード等のモードを選択するモード選択ダイヤル１１等が設けられている。
【００１３】
図３に示すように、ＤＳＣ２は、撮像装置２０と、ＣＰＵ２１，ＲＯＭ２２，ＲＡＭ２３，画像記憶部２４，ファイル管理部２５を備え、ＲＯＭ２２に格納されている制御プログラムに従いＲＡＭ２３を用いてＣＰＵ２１が各種制御を行うようになっている。
【００１４】
ＣＰＵ２１は、撮像装置２０により被写体を撮影した画像データを画像記憶部２４に格納すると共に、該画像データを管理するためのファイル管理データをファイル管理部２５に格納する。なお、画像記憶部２４は、不揮発性メモリＥＥＰＲＯＭ等で構成され、電源オフ等でもデータは保持される。画像記憶部２４は固定式のメモリでも交換可能型のメモリでもよい。
【００１５】
また、画像記憶部２４に格納された複数の画像データは液晶表示部４に縮小されて表示ができ、選択／決定ボタン９を用いて所望の画像データをストレージ装置１に保存させることができるようになっている。
【００１６】
一方、ストレージ装置１は、ＣＰＵ３１，ＲＯＭ３２，ＲＡＭ３３，画像記憶部３４，ファイル管理部３５を備え、ＲＯＭ３２に格納されている制御プログラムに従いＲＡＭ３３を用いてＣＰＵ３１が各種制御を行うようになっている。
【００１７】
ＣＰＵ３１は、ＤＳＣ２のＣＰＵ２１とデータの送受を行い、ＣＰＵ２１からの画像データを画像記憶部３４に格納すると共に、該画像データを管理するためのファイル管理データをファイル管理部３５に格納する。画像記憶部３４は、不揮発性メモリＥＥＰＲＯＭ等で構成され、電源オフ等でもデータは保持される。なお、画像記憶部３４は固定式のメモリでも交換可能型のメモリでもよい。
【００１８】
ここで、ストレージ装置１は、例えば図示しない記録媒体にデータを保存する情報記録再生装置であって、例えば光磁気ディスク，ＤＶＤ，ＨＤＤ等の記録媒体にデータを保存する。
【００１９】
また、ＤＳＣ２の液晶表示部４は種々の設定画面や撮像した画像の表示が可能であり、図４に示すように、例えば画像記憶部２４に格納されている画像ファイルの画像を縮小した複数のインデックス画像４１と、インデックス画像４１が指定する画像ファイルの画像を削除する「削除」アイコン５１と、図示しないメニュー画面に戻るための「戻る」アイコン５２とからなる表示画面４ａを表示することができる。
【００２０】
ＤＳＣ２は、画像記憶部２４からファイル管理部２５を通して画像ファイルを読み込み液晶表示部４に表示を行う。
【００２１】
ＤＳＣ２のＣＰＵ２１は、選択／決定ボタン９の操作で選択された画像を画像記憶部２４から削除することができる。
【００２２】
ＤＳＣ２のＣＰＵ２１は、ストレージ装置１に命令を送付して画像記憶部３４の画像ファイルを液晶表示部４に表示することもできる。
【００２３】
ＤＳＣ２のＣＰＵ２１は、選択／決定ボタン９の操作で選択された画像の画像記憶部３４での削除をストレージ装置１のＣＰＵ３１に命令することができる。
【００２４】
またＤＳＣ２のＣＰＵ２１は、選択／決定ボタン９の操作で選択された画像のフォルダ移動をストレージ装置１のＣＰＵ３１に命令することができる。
【００２５】
ＤＳＣ２とストレージ装置１は相手側のファイルシステムは見えないようになっている。 ＣＰＵ２１及びＣＰＵ３１間でファイル／フォルダ情報やファイルのやりとりは行うが、各々の画像記憶部２４，３４からのファイルの読み出しや書き込みは、各々のファイル管理部２５，３５が制御を行っている。相手側の画像記憶部を直接はアクセスできない。
【００２６】
図５にＤＳＣ２の画像記憶部２４のフォルダ／ファイル構成を示し、図６にＤＳＣ２でＤＳＣ２内の画像を削除した時に、空フォルダを削除する際のＤＳＣ２のＣＰＵ２１の処理の流れを示す。
【００２７】
図６に示すように、まず、ステップＳ１にて、ＤＳＣ２内の画像のインデックス画像４１を図４に示すように液晶表示部４にサムネイル表示する（ユーザはフォルダ／ファイル構成を認識していない）。
【００２８】
ステップＳ２で選択／決定ボタン９にてサムネイル表示されたインデックス画像４１が選択されたかを確認し、選択されればステップＳ３で画像を選択状態にする。
【００２９】
ステップＳ４で選択／決定ボタン９にて画像選択が解除されたかを確認し、解除されればステップＳ５で画像選択を解除する。
【００３０】
この選択と解除は、選択／決定ボタン９の矢印キー９ｂ、９ｃ、９ｄ、９ｅ（図４参照）で選択・解除する画像選択位置を変えて、ＯＫボタン９ａ（図４参照）を押せば行える。画像未選択状態でＯＫボタン９ａを押せば選択状態になり、画像選択状態でＯＫボタン９ａを押せば選択解除される。
【００３１】
同様に「削除」アイコン５１位置でＯＫボタン９ａを押せば選択されている画像が削除され、「戻る」アイコン５２位置でＯＫボタン９ａを押せば撮影モードに戻る（図４参照）。
【００３２】
ステップＳ６で「削除」アイコン５１位置でＯＫボタン９ａが押されたかを確認し、押されたならばステップＳ７で選択されている画像を削除するとともに、ステップＳ８で画像の削除を行ったフォルダが空フォルダになったかを確認し、空ならばステップＳ９でフォルダを削除する。
【００３３】
ステップＳ１０で「戻る」アイコン５２位置でＯＫボタン９ａを押されたかを確認し、押されたならば表示モードを終了する。
【００３４】
このようにユーザがフォルダ／ファイル構成を意識していない状態でファイルの削除を行っても、ＣＰＵ２１はファイル管理部２５のフォルダが空になったか否かを検出して、空になった場合は自動的にファイル管理部２５よりフォルダを削除するので、不要な空フォルダがファイル管理部２５に残らず、フォルダの管理が容易になり、容量の無駄な浪費を抑えることができる。
【００３５】
なお、図５の「P7270001.MOV」が選択・削除されると、「102OLYMP」フォルダを自動的に削除する。
【００３６】
本実施例では、フォルダが空になるとすぐに削除しているが、フォルダが空になって所定時間以上経過後、撮影モード等へのモード変更後、モード変更後所定時間経過後、撮影モードヘの変更後で１枚以上撮影された後、電源オフ時等でもフォルダが空のままの場合に、フォルダを削除するようにすれば、空になった後にすぐに利用されることがない不要なフォルダのみを削除するようにすることができる。
【００３７】
本実施例では画像ファイルで説明を行ったが、テキストファイル等でも良く、複数のファイル種類が混在していても良い。
【００３８】
本実施例ではデジタルカメラで説明を行ったが、デジタルビデオカメラや記録再生装置でも構わない。
【実施例２】
【００３９】
図７は本発明の実施例２に係るＤＳＣのＣＰＵの処理の流れを示すフローチャートである。
【００４０】
実施例２は、実施例１とほとんど同じであるので、異なる点のみ説明する。実施例１ではフォルダが空になるとすぐに削除していたが、本実施例ではＤＳＣ２のＣＰＵ２１は、図７に示すように、状態の変化を検出し、更に所定時間経過してもフォルダが空の場合に削除するように処理を行う。
【００４１】
なお、図７において、ステップＳ１〜Ｓ７までは実施例１と同じなので説明を省く。
【００４２】
本実施例では、ステップＳ７の処理が終了すると、ステップＳ２１にて「戻る」アイコン５２位置でＯＫボタン９ａを押されたかを確認し、押されていなければステップＳ２２で状態の変化があるかを確認する。
【００４３】
ステップＳ２２の状態変化とは、モード選択ダイヤル１１が回されてモードの変更が発生した（例えば表示モードから撮影モードに変更された）とか、シャッタ１０が押されて撮影状態になったとか、ストレージ装置１と接続された・接続が切断されたなどをいう状態変化である。
【００４４】
ステップＳ２１で「戻る」アイコン５２位置でＯＫボタン９ａを押された場合や、ステップＳ２２で状態変化を検出した場合はステップＳ２３に移る。
【００４５】
ステップＳ２３では空のフォルダがあるかを確認し、あればステップＳ２４で所定時間待ち、ステップＳ２５で再度フォルダが空かを確認する。それでも空の場合はステップＳ２６でフォルダを削除する。
【００４６】
本実施例では１度空になったフォルダでも、ステップＳ２５迄に新規の撮影等でファイルが作成された場合は、ステップＳ２５でフォルダが空ではないと検出されるので、再利用されるフォルダを削除することを防ぐことができる。それ以外は実施例１と同様な効果を得ることができる。
【００４７】
本実施例でＤＳＣ２での処理について説明を行ったが、ストレージ装置１での処理も同様である。また、ストレージ装置１のファイルはＤＳＣ２により操作されているので、ＤＳＣ２との接続が切断された場合はファイル操作が終了したとして空のフォルダを削除するようにしても良い。
【実施例３】
【００４８】
図８ないし図１７は本発明の実施例３に係わり、図８はストレージ装置の画像記憶部のフォルダ／ファイル構成を示す図、図９は図８のファイル／フォルダを管理するためのＤＳＣ上のアルバム管理ファイルALBUM.ALBの内容を示す図、図１０は図９のアルバム管理ファイルのフォルダ毎のアルバム副管理ファイルFOLDER01.ALSの内容を示す第１の図、図１１は図９のアルバム管理ファイルのフォルダ毎のアルバム副管理ファイルFOLDER02.ALSの内容を示す第２の図、図１２は図９のアルバム管理ファイルのフォルダ毎のアルバム副管理ファイルFOLDER03.ALSの内容を示す第３の図、図１３は図８のファイル／フォルダの移動時にＤＳＣの液晶表示部に表示される第１の表示例を示す図、図１４は図８のファイル／フォルダの移動時にＤＳＣの液晶表示部に表示される第２の表示例を示す図、図１５は図８のファイル／フォルダの移動時のＤＳＣのＣＰＵの処理の流れを示すフローチャート、図１６は図１５の処理を実行するＣＰＵを有するＤＳＣの液晶表示部に表示される表示画面の変形例を示す図、図１７は図８のファイル／フォルダの移動時移動時のストレージ装置のＣＰＵの処理の流れを示すフローチャートである。
【００４９】
実施例３は、実施例１とほとんど同じであるので、異なる点のみ説明する。
【００５０】
図８にストレージ装置１の画像記憶部３４のフォルダ／ファイル構成を示す。下線部分のファイルが本実施例で移動するファイルで、下線斜体字部分が移動後のファイルを示し、網掛け部分のファイルとフォルダが移動時に本実施例で自動的に削除されるファイル／フォルダを示している。
【００５１】
また、図９は所定のアルバム管理ソフトウエアでファイル／フォルダを管理するためのアルバム管理ファイルALBUM.ALBの内容、図１０ないし図１２はアルバム管理ファイルのフォルダ毎のアルバム副管理ファイルFOLDER01.ALS〜FOLDER03.ALSの内容を示し、図９のアルバム管理ファイルの網掛け部分と図１２のアルバム副管理ファイルは本実施例では削除され、図１１の下線斜体字が本実施例で図１２から移動されたファイルを示している。
【００５２】
また、図１３及び図１４に液晶表示部４にファイル移動時の表示例を、図１５にファイル移動時のＤＳＣ２のＣＰＵ２１の処理の流れを示す。
【００５３】
図１５に示すように、ＤＳＣ２のＣＰＵ２１は、まずステップＳ３１でストレージ装置１にアルバム情報を要求し、ストレージ装置１から図９に示すアルバム情報を受信する。
【００５４】
次にステップＳ３２で図９のアルバム情報に記述された副アルバム情報を個別にストレージ装置１に要求し、図１０ないし図１２の副アルバム情報を個別に受信する。
【００５５】
ステップＳ３３では図１０の副アルバム情報のタイトルを図１３に示すように液晶表示部４に表示する。
【００５６】
ステップＳ３４では副アルバムが選択されるのを待つ。選択／決定ボタン９の矢印キー９ｂ、９ｃ、９ｄ、９ｅで移動・選択し、ＯＫボタン９ａで決定する。図１３は一時保管を選択している状態を示している。
【００５７】
ステップＳ３５では選択された副アルバム情報に記述された画像ファイルをストレージ装置１に要求し受信する。この場合、受信する画像ファイルは、情報量を抑えるためにサムネイル画像にしても良い。
【００５８】
ステップＳ３６では受信した画像を液晶表示部４に表示する。ステップＳ３７ではユーザによる画像選択を検出する。画像選択は選択／決定ボタン９の矢印キー９ｂ、９ｃ、９ｄ、９ｅで移動し、未選択状態でＯＫボタン９ａを押せば選択状態になり、選択状態でＯＫボタン９ａを押せば選択が解除される。
【００５９】
ステップＳ３８では「移動」アイコンが押されたかを確認する。図４では「削除」アイコン５１と「戻る」アイコン５２のみが表示されているが、本実施例においては図１６に示すように、「移動」アイコン５３も表示されていて、選択／決定ボタン９の矢印キー９ｂ、９ｃ、９ｄ、９ｅで移動し、「移動」アイコン５３の上でＯＫボタン９ａを押せば移動を実行することができる。
【００６０】
「移動」アイコンが選択されると、ステップＳ３９で図１１に示す移動可能な副アルバムを液晶表示部４に表示し、ステップＳ４０で副アルバムが選択されるのを待つ。
【００６１】
副アルバムが選択されると、ステップＳ４１で移動する画像ファイルと移動先の副アルバムを指定してストレージ装置１に移動要求を行う。
【００６２】
図１７に移動時のストレージ装置１のＣＰＵ３１の処理の流れをを示す。
【００６３】
ステップＳ５１でＤＳＣ２からアルバム情報要求があるかを確認し、あればステップＳ５２で図９に示すアルバム管理情報を送付する。
【００６４】
ステップＳ５３でＤＳＣ２から副アルバム情報要求があるかを確認し、あればステップＳ５４で要求に応じて図１０から図１２のいずれかの副アルバム情報を送付する。
【００６５】
ステップＳ５５でＤＳＣ２から画像ファイル要求があるかを確認し、あればステップＳ５６で画像ファイルを送付する。
【００６６】
なお、液晶表示部４にサムネイル表示するために必要な画像の場合はサムネイル画像で良い場合があり、その場合はＤＳＣ２の要求に従ってサムネイル画像を送付すれば良い。
【００６７】
ステップＳ５７では移動要求があるかを確認し、あればステップＳ５８で指定された画像ファイルを指定された移動先アルバム（フォルダ）に移動する。この時、図１２の移動元アルバムの副アルバム情報から下線部分を削除し、図１１の移動先アルバムの副アルバム情報に下線斜体字部分を追加する。
【００６８】
ステップＳ５９では図１２の移動元フォルダが空になったかを確認し、空の場合はステップＳ６０で空になった移動元フォルダを削除し、ステップＳ６１で該当する副アルバム情報を削除し、ステップＳ６２でアルバム情報から削除した副アルバム情報を削除する（図９の網掛け部分）。
【００６９】
これにより図８の FOLDER03フォルダの下線されたファイルが、FOLDER02フォルダの下線斜体時にされた位置に移動し、網掛けされたFOLDER03フォルダとFOLDER03.ALSファイルが削除される。 ALBUM.ALBとFOLDER02.ALSは内容が更新される。
【００７０】
このように外部制御装置からの命令で空フォルダができた場合でも実施例１と同様な効果が得られる。
【００７１】
また削除したフォルダに関わるファイルが存在する場合はそのファイルも削除することで、不要なファイルが残ることを防ぎ、容量の無駄な浪費を抑えることができる。
【００７２】
本実施例では分かりやすいようにアルバムとフォルダを１対１で対応させたが、全てのファイルが同一フォルダに存在しても、１つのアルバムに属する複数のファイルが複数のフォルダに分散保存されていても構わない。
【実施例４】
【００７３】
図１８ないし図２２は本発明の実施例４に係わり、図１８は電源投入時および所定時間間隔毎に空きフォルダをチェックし空きフォルダを削除する場合のＤＳＣまたはストレージ装置のＣＰＵの処理の流れを示すフローチャート、図１９は図１８の処理における削除可能フォルダ、又は削除禁止フォルダの指定を可能とするフォルダ管理ファイルを示す第１の図、図２０は図１８の処理における削除禁止フォルダの指定を可能とするフォルダ管理ファイルを示す第２の図、図２１は図１８の処理における削除可能フォルダの指定を可能とするフォルダ管理ファイルを示す第３の図、図２２は図１８の処理におけるフォルダ削除許可、又はフォルダ削除禁止設定用ファイルを有するフォルダの内容を示す図である。
【００７４】
実施例４は、実施例１とほとんど同じであるので、異なる点のみ説明する。
【００７５】
図１８に電源投入時および所定時間間隔毎に空きフォルダをチェックし空きフォルダを削除する場合のＣＰＵ２１又はＣＰＵ３１のフローを示す。
【００７６】
ステップＳ７１で空きフォルダがあるかを確認し、無ければステップＳ７２で所定ファイル名や所定ファイルタイプの所定ファイルのみのフォルダがあるかを確認する（所定ファイルとはフォルダ内のファイルを管理するための管理ファイルで、管理されるべき他のファイルが無い場合は不要のファイルを示し、同様に他の関連するファイルが無ければ不要のファイルでも良い：なお、所定ファイルのみとしたが、所定ファイルタイプが存在しない（例えばＤＳＣで再生可能なファイルが無い）フォルダとしても良い）。ステップＳ７１及びステップＳ７２でなしとなった場合は、ステップＳ７６で内部カウンタの値を０としてステップＳ７７に進む。
【００７７】
ステップＳ７１またはステップＳ７２で有りとなった場合は、ステップＳ７３で該当するフォルダを削除し、ステップＳ７４で例えばそのフォルダの管理ファイルがルートディレクトリ等の所定フォルダに有る場合は、そのファイルを削除する。
【００７８】
ステップＳ７５では該当フォルダの上位（親）フォルダの管理ファイルに該当フォルダの情報が含まれている場合は（例えば上位（親）フォルダの管理ファイルに該当フォルダの管理ファイルが記述されていた場合）、上位（親）フォルダの親関連ファイルから該当フォルダの情報を削除・更新する。そして、ステップＳ７６に進む。
【００７９】
ステップＳ７７では所定時間の経過を待ち、ステップＳ７８に進み、ステップＳ７８及びステップＳ７９にてステップＳ７１及びステップＳ７２と同様に、空きフォルダがあるかの確認及び所定ファイル名や所定ファイルタイプの所定ファイルのみのフォルダがあるかの確認を行う。ステップＳ７８及びステップＳ７９でなしとなった場合は、ステップＳ８０で内部カウンタの値を０としてステップＳ７７に戻る。
【００８０】
ステップＳ７８またはステップＳ７９で有りとなった場合は、ステップＳ８１で内部カウンタの値をインクリメントしてステップＳ８２にて内部カウンタの値が１０未満かどうか判断する。内部カウンタの値が１０未満の場合はステップＳ７７に戻り、内部カウンタの値が１０以上ならばステップＳ８３に進む。
【００８１】
ステップＳ８３からステップＳ８５では、ステップＳ７３からステップＳ７５と同じ処理を実行し、ステップＳ８６で内部カウンタの値を０としてステップＳ７７に戻る。
【００８２】
ステップＳ７８からステップＳ８６もステップＳ７１からステップＳ７５と同様な処理を行っているが、所定時間間隔毎にフォルダのチェックを行い、所定時間以上空フォルダ状態が続いた時にフォルダを削除するようにしている。
【００８３】
なお、本実施例は電源投入時としたが、メディア挿入時、撮影モードから再生モードヘの切り替え時や、再生モードから撮影モードヘの切り替え時等に行っても良い。
【００８４】
また、本実施例では所定時間間隔毎にチェックを行っているが、所定間隔以内に撮影やファイル操作等が行われている場合は、空フォルダにファイルが新規作成されたり、他フォルダから移動されたりする可能性が高いので、チェックを行わないようにしても良い。
【００８５】
また、フォルダが「読み専用」属性に設定されている場合は、フォルダを削除しないようにしても良い。
【００８６】
さらに、フォルダ管理ファイルを作成し、削除可能フォルダ、又は削除禁止フォルダを指定できるようにし、この設定にしたがって削除禁止フォルダは削除しないようにしても良い（図１９ないし図２１：図１９＝可否設定フォルダ管理ファイル、図２０＝否（削除禁止）フォルダ管理ファイル、図２１＝可（削除可能）フォルダ管理ファイル）。
【００８７】
また、フォルダ削除許可、又はフォルダ削除禁止設定用ファイルをフォルダに保存することで、削除禁止フォルダは削除しないようにしても良い（図２２）。
【００８８】
なお、ユーザは上記方法を用いて自動消去の可否を設定できるようにしても良い。
【００８９】
本発明は、上述した実施例に限定されるものではなく、本発明の要旨を変えない範囲において、種々の変更、改変等が可能である。
【図面の簡単な説明】
【００９０】
【図１】本発明の実施例１に係るファイル管理システムの構成を示す構成図
【図２】図１のＤＳＣの背面構成を示す外観図
【図３】図１のＤＳＣ及びストレージ装置の構成を示すブロック図
【図４】図２のＤＳＣの背面構成を示す構成図
【図５】図３のＤＳＣの画像記憶部のフォルダ／ファイル構成を示す図
【図６】図３のＤＳＣのＣＰＵの処理の流れを示すフローチャート
【図７】本発明の実施例２に係るＤＳＣのＣＰＵの処理の流れを示すフローチャート
【図８】本発明の実施例３に係るストレージ装置の画像記憶部のフォルダ／ファイル構成を示す図
【図９】図８のファイル／フォルダを管理するためのＤＳＣ上のアルバム管理ファイルALBUM.ALBの内容を示す図
【図１０】図９のアルバム管理ファイルのフォルダ毎のアルバム副管理ファイルFOLDER01.ALSの内容を示す第１の図
【図１１】図９のアルバム管理ファイルのフォルダ毎のアルバム副管理ファイルFOLDER02.ALSの内容を示す第２の図
【図１２】図９のアルバム管理ファイルのフォルダ毎のアルバム副管理ファイルFOLDER03.ALSの内容を示す第３の図
【図１３】図８のファイル／フォルダの移動時にＤＳＣの液晶表示部に表示される第１の表示例を示す図
【図１４】図８のファイル／フォルダの移動時にＤＳＣの液晶表示部に表示される第２の表示例を示す図
【図１５】図８のファイル／フォルダの移動時のＤＳＣのＣＰＵの処理の流れを示すフローチャート
【図１６】図１５の処理を実行するＣＰＵを有するＤＳＣの液晶表示部に表示される表示画面の変形例を示す図
【図１７】図８のファイル／フォルダの移動時移動時のストレージ装置のＣＰＵの処理の流れを示すフローチャート
【図１８】本発明の実施例４に係る電源投入時および所定時間間隔毎に空きフォルダをチェックし空きフォルダを削除する場合のＤＳＣまたはストレージ装置のＣＰＵの処理の流れを示すフローチャート
【図１９】図１８の処理における削除可能フォルダ、又は削除禁止フォルダの指定を可能とするフォルダ管理ファイルを示す第１の図
【図２０】図１８の処理における削除禁止フォルダの指定を可能とするフォルダ管理ファイルを示す第２の図
【図２１】図１８の処理における削除可能フォルダの指定を可能とするフォルダ管理ファイルを示す第３の図
【図２２】図１８の処理におけるフォルダ削除許可、又はフォルダ削除禁止設定用ファイルを有するフォルダの内容を示す図
【符号の説明】
【００９１】
１…ストレージ装置
２…ＤＳＣ
４…液晶表示部
５…ファインダ
６…パワーＬＥＤ
９…選択／決定ボタン
１０…シャッタ
１１…モード選択ダイヤル
２０…撮像装置
２１、３１…ＣＰＵ
２２、３２…ＲＯＭ
２３、３３…ＲＡＭ
２４、３４…画像記憶部
２５、３５…ファイル管理部
代理人    弁理士    伊藤  進
【図１】
2005202703.tif 000003
【図２】
2005202703.tif 000004
【図３】
2005202703.tif 000005
【図４】
2005202703.tif 000006
【図５】
2005202703.tif 000007
【図６】
2005202703.tif 000008
【図７】
2005202703.tif 000009
【図８】
2005202703.tif 000010
【図９】
2005202703.tif 000011
【図１０】
2005202703.tif 000012
【図１１】
2005202703.tif 000013
【図１２】
2005202703.tif 000014
【図１３】
2005202703.tif 000015
【図１４】
2005202703.tif 000016
【図１５】
2005202703.tif 000017
【図１６】
2005202703.tif 000018
【図１７】
2005202703.tif 000019
【図１８】
2005202703.tif 000020
【図１９】
2005202703.tif 000021
【図２０】
2005202703.tif 000022
【図２１】
2005202703.tif 000023
【図２２】
2005202703.tif 000024